(57)【要約】【課題】落としたり、首に巻きついたりせず、また防水性に富み、衝撃や曲げの力に強いRFIDタグを用いた情報管理デバイスを提供する。【解決手段】FeliCaモジュール(1)を収容した収容体(10)と、該収容体に取り付けられたベルト(3)と、を備える。該収容体としては、FeliCaモジュールを封止した樹脂成形品がある。また、ベルトは、該樹脂成形品の成形過程でFeliCaモジュールと共に封止され、両端に留め具を備えた一本のリストバンド、或いは、FeliCaモジュールと共に封止されたベルト支持具の通し穴に通されるリストバンド、又は輪状のリストバンドでよい。該収容体の一方の表面にはPCシートを埋め込むこともできる。【選択図】図1
0003136643.tif 000002
【実用新案登録請求の範囲】
【請求項１】
FeliCaモジュールを収容した収容体と、
該収容体に取り付けられたベルトと、
を備えたことを特徴とする情報管理デバイス。
【請求項２】
請求項１において、
該収容体が、該FeliCaモジュールを封止した樹脂成形品であることを特徴とした情報管理デバイス。
【請求項３】
請求項２において、
該ベルトが、該樹脂成形品の成形過程で該FeliCaモジュールと共に封止され、両端に留め具を備えた一本のリストバンドであることを特徴とした情報管理デバイス。
【請求項４】
請求項２において、
該ベルトが、該樹脂成形品の成形過程で該FeliCaモジュールと共に封止されたベルト支持具の通し穴に通すことにより該収容体に取り付けられたリストバンドであることを特徴とした情報管理デバイス。
【請求項５】
請求項２において、
該ベルトが、該樹脂成形品の成形過程で該FeliCaモジュールと共に封止された輪状のリストバンドであることを特徴とした情報管理デバイス。
【請求項６】
請求項１において、
該収容体の一方の表面にPCシートを埋め込んだことを特徴とする情報管理デバイス。
【考案の詳細な説明】
【技術分野】
【０００１】
本考案は、情報管理デバイスに関し、特にRFIDタグを用いて情報の管理を行う情報管理デバイスに関するものである。
【背景技術】
【０００２】
現在、RFIDタグの利用形態の１つとして、エディ（EDY：登録商標）、スイカ（SUICA：登録商標）、パスモ（PASMO：登録商標）等のRFIDタグを埋め込んだICカードが知られている。このようなICカードは、RFIDタグとしてFeliCa（登録商標）チップ（ICチップ）とアンテナを組み合わせたFeliCaモジュールをプラスチックシート間に封入したものであり、チャージやディスチャージ等が可能な機能を持っている。そして、利用者は、使用する際は定期入れ、財布等に入れるか、首からベルトで提げてリーダ／ライタに近づけてデータアクセスできるようにしている。
【考案の開示】
【考案が解決しようとする課題】
【０００３】
しかしながら、このようなICカードの場合、落としたり、或いはベルトが首に巻きつくなどの問題があり、さらには誤って水に落としたり被ったりした場合は浸水のため使用出来なくなる場合があるという問題があった。さらには、ICカードの形状から、衝撃や曲げの力に弱いという問題もあった。
従って、本考案は、上記の様な従来の問題点に鑑み、常に身体から離れずに利用でき、防水性に富み、且つ物理的にも強いRFIDタグを備えた情報管理デバイスを提供することを目的とする。
【課題を解決するための手段】
【０００４】
上記の目的を達成するため、本考案に係る情報管理デバイスは、FeliCaモジュールを収容した収容体と、該収容体に取り付けられたベルトと、を備えたことを特徴とする。
すなわち、本考案では、上記のICカードにおいて、広く用いられているRFIDタグとしてのFeliCaモジュールを、収容体として例えば樹脂成形品に封止したり、さらにこの収容体にベルトを取り付けることによりリストバンド型のICカードを実現したものである。
【０００５】
これにより、このような情報管理デバイスを腕に装着して使用することにより、落としたり、首に巻きついたり、或いは誤って浸水させてしまうなどの問題が無くなる。
上記ベルトは、好適には、該樹脂成形品の成形過程で該FeliCaモジュールと共に封止され、両端に留め具を備えた一本のリストバンド、或いは該FeliCaモジュールと共に封止されたベルト支持具の通し穴に通すことにより該収容体に取り付けられたリストバンド、又は輪状のリストバンドである。
【０００６】
なお、該収容体の一方の表面にPCシートを埋め込むこともできる。
【考案の効果】
【０００７】
本考案により、リーダ／ライタへのタッチが容易で紛失し難く、且つ耐水性や耐衝撃性に優れ、通信の安定度を増大した製品が実現される。
また、樹脂成形のメリットであるデザインの自由度を生かし、様々な形状のものを作ることができる。さらに、表面にPCシートを埋め込むことにより、文字、図柄等の印刷を可能にし、可視情報を併用することも可能となる。そして、このようなFeliCaモジュールを用いた情報管理デバイスは、今後もコンテンツやアプリケーションの拡大が見込まれ大きな社会インフラになって行くことが予想される。
【考案を実施するための最良の形態】
【０００８】
実施例[1]：図1
図1は、本考案に係る情報管理デバイスの実施例[1]を示したものである。この実施例[1]では、同図(1)〜(3)に示すように、収容体としてのホットメルト樹脂成形品10において、リング形FeliCaモジュール1を封止すると共に、表面にPCシート2を埋め込んでいる。
そして、このようなホットメルト樹脂成形品10には、ベルト3が通されており、このベルト3の両端には留め具4が設けられている。
【０００９】
この結果、ベルト3を腕に装着し、且つ留め具4で留めることにより、リストバンド型の情報管理デバイスを提供することができる。
なお、ベルト3としては、留め具4を設けずに輪状のリストバンドを用いてもよい。
製造工程：図2及び図3
図1に示した実施例[1]の製造工程（その1及びその2）を、図2及び図3を参照して以下に説明する。
【００１０】
まず、図2に示す製造工程（その1）において、１次ホットメルト樹脂成形品10_1を金型により製造する。この１次樹脂成形品10_1は、図1に示したホットメルト樹脂成形品10を構成し、図2(1)の平面図に示すように、FeliCaモジュール1を設置するための溝5を有し、この溝5の外側における枠部6には、図1に示したベルト3を固定するための溝6_1が設けてある。また、溝5の中央にはFeliCaモジュール1を嵌め込むための突起部7が設けてあり、この突起部7と枠部6との間には、図示のようなFeliCaチップ保護穴8が設けられている。
【００１１】
図2(2)には、同図(1)に示した平面図において、線A-Aで切断したときの断面図が示されており、FeliCaチップ保護穴8は、図示の如く、FeliCaモジュール設置溝5の下方に設けられている。
なお、１次樹脂成形品10_1の下部にはPCシート2が埋め込まれており、このPCシート2は、文字や図柄等の印刷を可能にし、可視情報を利用者に与えるためのものである。
【００１２】
このようにして作られた１次樹脂成形品10_1を用いて、図3に示す製造工程(その2)により、図1に示した情報管理デバイスが実現される。
【００１３】
(i)まず、図3(1)に示すように、FeliCaモジュール設置用溝5にリング形FeliCaモジュール1を設置し、突起部7に嵌め込む。この場合、図3(1)を線B−Bで切断した断面図を示す同図(2)のように、ホットメルト樹脂の直接接触による熱でのFeliCaモジュール1の損傷を防ぐため、FeliCaチップ9を下にして、これが保護穴8に入るようにする。
【００１４】
(ii)次に、１次樹脂成形品10_1に対して、そのベルト固定用溝6_1にベルト3を置き、その両端を金型面で固定し、テンションを懸け弛みを無くす。
【００１５】
(iii)この状態で、上方からホットメルト樹脂を流し込んで図3(2)に示すような断面形状の２次樹脂成形品10_2を作る。このとき、ベルト3は、図2(1)及び図3(1)に示すように、ベルト3をベルト固定用溝6_1に装着してもベルト3と枠部6との間に空間があり、ここからホットメルト樹脂が流れ込んでベルト3の下部においても同図(2)に示すように２次樹脂成形品10_2が成形されることになる。
【００１６】
なお、PCシート2は図2(2)及び図3(2)では下の方に示されているが、図1(1)及び(2)では、この情報管理デバイスを腕に嵌めた状態としてPCシート2が上面に示されている。
【００１７】
実施例[2]：図4
図4は、本考案に係る情報管理デバイスの実施例[2]を示したもので、特に、上記の
実施例[1]の図3に示した製造工程（２次成形）の変形例に相当しており、図2に示した製造工程（１次成形）による１次樹脂成形品10_1はそのまま、この実施例[2]でも用いることができる。
【００１８】
図４(1)及び(2)に示すように、この２次成形工程においては、まず、左右に出張部11_1を有するベルト支持具11を１次成形品10_1上に置いて、２次樹脂成形品10_2を、実施例[1]と同様に流し込むことによって固定する。このとき、２次樹脂成形品10_2の上面と、ベルト支持具11の左右の出張部11_1の通し穴11_2同士で形成される空間の下面とをほぼ一致させてベルト3を通し易くするように、樹脂成形を行う。
【００１９】
この後、ベルト3を２次樹脂成形品10_2の上面を経由して通し穴11_2に通すことにより、図示のような移動可能なリストバンド型の情報管理デバイスを実現することができる。
なお、本考案は、上記実施例によって限定されるものではなく、実用新案登録請求の範囲の記載に基づき、当業者によって種々の変更が可能なことは明らかである。
【図面の簡単な説明】
【００２０】
【図１】本考案に係る情報管理デバイスの実施例[1]を示した図である。
【図２】図1に示した実施例[1]の製造工程（１次成形）を示した図である。
【図３】図1に示した実施例[1]の製造工程(２次成形)を示した図である。
【図４】本考案に係る情報管理デバイスの実施例[2]の製造工程（２次成形）を示した図である。
【符号の説明】
【００２１】
1  リング形FeliCaモジュール
2  PCシート
3  ベルト
4  留め具
5  FeliCaモジュール設置溝
6  枠部
6_1  ベルト用固定溝
7  FeliCaモジュール嵌合用突起部
8  FeliCaチップ保護穴
9  FeliCaチップ
10  ホットメルト樹脂成形品
10_1  １次樹脂成形品
10_2  ２次樹脂成形品
11  ベルト支持具
11_1  出張部
11_2  通し穴
図中、同一符号は同一又は相当部分を示す。
【図１】
0003136643.tif 000003
【図２】
0003136643.tif 000004
【図３】
0003136643.tif 000005
【図４】
0003136643.tif 000006